(57)【要約】【課題】  投影画像の投影を良好に行うことができる電子機器を提供する。【解決手段】  撮像ユニットと、投影ユニットと、前記撮像ユニット及び前記投影ユニットを収容する筐体４と、前記投影ユニットによる画像の投影方向が水平方向よりも上方を向いた状態で筐体４を支持する支持部材２０とを備える。【選択図】  図３
2010074328.tif 000002
【特許請求の範囲】
【請求項１】
撮像ユニットと、
投影ユニットと、
前記撮像ユニット及び前記投影ユニットを収容する筐体と、
前記投影ユニットによる画像の投影方向が水平方向よりも上方を向いた状態で前記筐体を支持する支持部材とを備えることを特徴とする電子機器。
【請求項２】
前記支持部材を、前記筐体を支持しない第１の位置と、
前記投影方向が水平方向よりも上方を向いた状態で前記筐体を支持する第２の位置とに移動させる移動機構を備えることを特徴とする請求項１記載の電子機器。
【請求項３】
前記移動機構により前記支持部材を前記第２の位置に移動させた場合に、
前記投影ユニットにより前記画像の投影を行う投影モードが設定されることを特徴とする請求項２記載の電子機器。
【請求項４】
前記移動機構により前記支持部材を前記第１の位置に移動させた場合に、
前記投影モードの設定が終了されることを特徴とする請求項２または３記載の電子機器。
【請求項５】
前記支持部材は、前記筐体の側面カバーであることを特徴とする請求項１乃至４の何れか一項に記載の電子機器。
【請求項６】
前記側面カバーは、前記筐体の側面に設けられた回転軸を中心として回転可能に設けられていることを特徴とする請求項５記載の電子機器。
【請求項７】
前記側面カバーは、前記筐体の側面の端部方向へスライド可能に設けられていることを特徴とする請求項５または６記載の電子機器。
【請求項８】
前記支持部材は、前記筐体の側面または背面に設けられたスタンド部材であることを特徴とする請求項１乃至４の何れか一項に記載の電子機器。
【請求項９】
前記スタンド部材は、前記筐体に対する取り付け部を中心として回転可能に設けられていることを特徴とする請求項８記載の電子機器。
【請求項１０】
前記支持部材は、前記筐体の背面カバーであることを特徴とする請求項１乃至４の何れか一項に記載の電子機器。
【請求項１１】
前記背面カバーは、前記筐体の背面に設けられた回転軸を中心として回転可能に設けられていることを特徴とする請求項１０記載の電子機器。
【発明の詳細な説明】
【技術分野】
【０００１】
本発明は、電子機器に関するものである。
【背景技術】
【０００２】
被写体の撮像を行う機能と画像の投影を行う機能を備える電子機器としてプロジェクタ機能を有するカメラが知られている（例えば、特許文献１参照）。
【特許文献１】特開２００５−２５０３９２号公報
【発明の開示】
【発明が解決しようとする課題】
【０００３】
ところで、プロジェクタ機能を備えるカメラは、机等の平坦な面の上に載置した状態で画像の投影を行うと、投影される画像の下方が机の表面によって遮られ、投影画像にケラレが発生することがあった。
【０００４】
本発明の目的は、投影画像の投影を良好に行うことができる電子機器を提供することである。
【課題を解決するための手段】
【０００５】
本発明の電子機器は、撮像ユニットと、投影ユニットと、前記撮像ユニット及び前記投影ユニットを収容する筐体と、前記投影ユニットによる画像の投影方向が水平方向よりも上方を向いた状態で前記筐体を支持する支持部材とを備えることを特徴とする。
【発明の効果】
【０００６】
本発明の電子機器によれば、机等の平坦な面の上に載置した状態で画像の投影を行う場合に、投影画像にケラレが発生することを防止して良好な投影を行うことができる。
【発明を実施するための最良の形態】
【０００７】
以下、図面を参照して本発明の第１の実施の形態に係る電子機器としてのカメラについて説明する。図１は、この実施の形態に係るカメラにおいて、画像の投影を行っていないときの外観を示す斜視図である。カメラ２は、金属やプラスチック等からなる筐体４を備え、筐体４の前面には、筐体４に内蔵された撮像ユニット６０（図２参照）の鏡筒窓６、同じく筐体４に内蔵された投影ユニット８０（図２参照）の投影窓８及び撮影時にフラッシュ光が射出されるフラッシュ窓１０が設けられている。また、カメラ２の上面には、電源スイッチ１２及びレリーズ動作を指示するシャッタボタン１４が設けられている。
【０００８】
筐体４の一方の側面１６には、側面１６と同一の形状を有し、金属やプラスチック等により形成された側面カバー２０が設けられている。ここで、側面カバー２０は、回転軸２２（図２参照）を中心として、側面１６に平行な面内において回転自在、かつ任意の回転角度において固定できるように設けられている。なお、側面カバー２０は、筐体４の側面１６を保護する機能を有しており、カメラ２の電源オフ時や被写体の撮像を行う撮像モードの設定時には、図１に示すように、側面１６を完全に覆う位置である第１の位置に位置している。
【０００９】
図２は、この実施の形態に係るカメラ２の筐体４の内部及び側面カバー２０の構成を示す断面図である。なお、図２は、カメラ２を前方から見たときの断面図である。カメラ２の筐体４の内部には、被写体を撮像するための撮像素子を有する撮像ユニット６０、画像を投影するための光学系等を有する投影ユニット８０、撮像ユニット６０及び投影ユニット８０に電力を供給するバッテリを収容する電池室３０が設けられている。
【００１０】
また、筐体４の側面１６に設けられた開口１８には軸受け１９が嵌入され、この軸受け１９によって回転軸２２が回転自在に支持されている。回転軸２２の筐体４から突出している端部は、側面カバー２０に設けられた回転軸嵌入部２３に嵌入されて固定されている。側面カバー２０は、このような様態で、回転軸２２を中心として回転可能に取り付けられている。なお、軸受け１９は適度なフリクションを有しており、回転軸２２を任意の回転角度で、あるいは所定の回転角度毎に固定することができる。
【００１１】
一方、回転軸２２の筐体４側の端部には、異なる直径を有する大径部２４ａと小径部２４ｂ（図４参照）から形成される回転板２４が取り付けられており、回転板２４の下方には、モード切替スイッチ２６が設置されている。モード切替スイッチ２６は、図４に示すように、回転板２４の大径部２４ａによってのみ押下される位置に設置されている。なお、この実施の形態に係るカメラにおいては、軸受け１９、回転軸２２、回転板２４が側面カバー２０の移動機構を構成している。
【００１２】
図３は、この実施の形態に係るカメラ２の画像投影時の状態を示す側面図である。図３に示すように、カメラ２の側面カバー２０を、回転軸２２を中心として図３における反時計回りに回転させると、側面カバー２０の前端縁２０ａが筐体４の底面より下方に位置すると共に、筐体４の底面の後端縁４ｂが側面カバー２０の底面より下方に位置する状態となる。側面カバー２０をこのように回転させた状態でカメラ２を机等の平坦な面に載置すると、図３に示すように、側面カバー２０の底面の前端縁２０ａと筐体４の底面の後端縁４ｂが同時に載置面に接する状態となる。カメラ２がこのような状態で載置されると、カメラ２の筐体４は、前面が水平方向より上方を向いた状態、即ち、筐体４の前面に設けられた投影窓８が水平方向より上方を向いた状態で支持される。
【００１３】
図４は、この実施の形態に係るカメラ２が備える側面カバー２０が回転したときの移動機構の状態を示す模式図である。なお、図４はカメラ２を側面カバー２０側から見た図であり、図４（ａ）は側面カバー２０が側面１６を保護する第１の位置に、図４（ｂ）は側面カバー２０が筐体４を支持する第２の位置に位置している状態を示している。図４（ａ）に示すように、側面カバー２０が第１の位置にある場合は、回転軸２２に取り付けられた回転板２４はモード切替スイッチ２６を押下していない。従って、この場合には投影モードは設定されずに撮像モードが設定されている。
【００１４】
一方、側面カバー２０が回転して第２の位置に位置した場合には、回転軸２２と共に回転板２４が図４（ｂ）における反時計回りに回転し、回転板２４の大径部２４ａがモード切替スイッチ２６を押下する。従って、この場合にはモード切替スイッチ２６によって投影モードが設定される。そして、側面カバー２０が時計回りに回転すると、モード切替スイッチ２６は、再び回転板２４によって押下されない状態となるため、再び撮像モードが設定される。
【００１５】
なお、投影モードへの切り替えを指示するスイッチとしては、モード切替スイッチ２６に替えて、例えば回転板の回転を光学的に検出するセンサや、電気的に検出する端子などでもよい。
【００１６】
この第１の実施の形態に係るカメラによれば、側面カバーを所定の角度だけ回転させた状態で机等の載置面に載置することにより、画像の投影方向を水平方向よりも上方へ向けた状態で筐体を支持することができる。従って、机等の平坦な面の上に載置した状態で画像の投影を行う場合に、投影画像にケラレが発生することを防止して良好な投影を行うことができる。また、この実施の形態に係るカメラによれば、側面カバーを第２の位置まで回転させると自動的に投影モードが設定され、第１の位置に復帰させると自動的に投影モードが終了されるため、投影機能付きのカメラの操作性を向上させることができる。
【００１７】
次に、本発明の第２の実施の形態に係る電子機器としてのカメラについて説明する。なお、第２の実施の形態に係るカメラは、第１の実施の形態に係るカメラが備える側面カバー及び移動機構とは異なる構成の側面カバーと移動機構を有するが、他の構成については第１の実施の形態に係るカメラと同一である。従って、第２の実施の形態の説明においては、第１の実施の形態に係るカメラと同一の構成については説明を省略する。また、この第２の実施の形態に係るカメラの説明においては、第１の実施の形態に係るカメラと同一の構成には第１の実施の形態で用いた符号と同一の符号を付して説明を行なう。
【００１８】
図５は、この実施の形態に係るカメラ１０２において、投影モードを設定するときの状態を示す斜視図である。カメラ１０２の筐体１０４の側面１１６には、側面１１６の略中央部から下方へ延び、側面カバー２０の回転軸２２が装着されるスライドレール１２０が設けられている。回転軸２２は、スライドレール１２０に対してスライド可能に装着されており、スライドレール１２０上の任意の位置において固定することができ、当該位置において自由に回転することができる。
【００１９】
図６は、この実施の形態に係るカメラ１０２の画像投影時の状態を示す側面図である。図６に示すように、側面１１６に設けられた側面カバー２０をスライドレール１２０に沿って下端近傍まで移動させた後に、時計回り（または反時計回り）に略９０°回転させると、側面カバー２０の長手方向の一側面を、筐体１０４の底面よりも下方に位置させることができる。このような状態で筐体１０４を机等の平坦な面の上に載置すると、側面カバー２０の当該側面の全体を載置面に接触させることができるため、カメラ１０２を安定して載置することができる。このようにしてカメラ１０２を載置した後に、筐体１０４の前面が水平方向より上方へ向いた状態となるように、筐体１０４の載置角度を調節する。このとき、筐体１０４の底面の後端縁１０４ｂが載置面に接するように調節する。
【００２０】
以上のようにしてカメラ１０２を載置すると、載置面に対して長手方向の一側面の全体が接している側面カバー２０によって、カメラ１０２の筐体１０４を、前面が水平方向より上方を向いた状態、即ち、前面に設けられた投影窓８が水平方向より上方を向いた状態で、安定して支持することができる。従って、筐体１０４に内蔵されている投影ユニット８０から投影窓８を介して筐体１０４の前方へ向かって投影される画像は、水平方向よりも上方へ向かって投影されるため、投影される画像の下方が載置面によって遮られることがなく、投影画像にケラレが発生することを防止することができる。
【００２１】
なお、スライドレール１２０の下端部には、側面カバー２０の回転軸２２の端部によって押下されるモード切替スイッチ１２６が設置されている。側面カバー２０が筐体１０４の側面１１６を保護する第１の位置にある場合は、モード切替スイッチ１２６が押下されていないため、投影モードは設定されずに撮像モードが設定されている。一方、側面カバー２０が、回転した後にスライドレール１２０上を下方へスライドし、筐体１０４を支持する第２の位置にある場合には、回転軸２２の端部がモード切替スイッチ１２６を押下するために投影モードが設定される。そして、側面カバー２０がスライドレール１２０上を上方へスライドして第１の位置に復帰すると、モード切替スイッチ１２６の押下が解除されて再び撮像モードが設定される。なお、モード切替スイッチ１２６に替えて、例えば回転軸２２の端部を光学的に検出するセンサや、端部との接触を電気的に検出する端子などを用いてもよい。
【００２２】
この第２の実施の形態に係るカメラによれば、側面カバーの長手方向の一側面の全体が載置面に接するような状態で机等の載置面に載置することにより、画像の投影方向が水平方向よりも上方を向いた状態で筐体を安定して支持することができる。従って、机等の平坦な面の上に載置した状態で画像の投影を行う場合に、投影画像にケラレが発生することを防止して良好な投影を行うことができる。また、この実施の形態に係るカメラによれば、側面カバーを第２の位置まで移動させると自動的に投影モードが設定され、第１の位置に復帰させると自動的に投影モードが終了されるため、投影機能付きのカメラの操作性を向上させることができる。
【００２３】
なお、上述の第１及び第２の実施の形態に係るカメラにおいては、側面カバーは筐体の一方の側面に設けられているのみであるが、筐体の他方の側面に同様のカバーを設置して、２つの側面カバーによって筐体を支持する構成としてもよい。この場合には、より安定して筐体を固定することができる。なお、撮像モードから投影モードへの切り替えを指示するモード切替スイッチは、一方の側面カバーの回転軸の下方に設けてもよいし、双方の側面カバーの回転軸の下方に設けてもよい。後者の場合には、双方のモード切替スイッチが押下されたときに投影モードが設定される。
【００２４】
次に、本発明の第３の実施の形態に係る電子機器としてのカメラについて説明する。なお、第３の実施の形態に係るカメラは、筐体を支持する支持部材としてスタンド部材を有する点で第１の実施の形態に係るカメラとは異なるが、この点以外は、第１の実施の形態に係るカメラと同一の構成を備えている。従って、第３の実施の形態の説明においては、第１の実施の形態に係るカメラと同一の構成については説明を省略する。また、この第３の実施の形態に係るカメラの説明においては、第１の実施の形態に係るカメラと同一の構成には第１の実施の形態で用いた符号と同一の符号を付して説明を行なう。
【００２５】
図７は、この実施の形態に係るカメラ２０２の外観を示す斜視図である。カメラ２０２の筐体２０４の側面２１６には、金属やプラスチック等からなるスタンド部材としてのスタンド２２０が設けられている。スタンド２２０は、回転軸２２２を中心として側面２１６に平行な面内において回転可能に設置されている。なお、スタンド２２０の移動機構は、図４に示す側面カバー２０の移動機構と同様の構成になっている。即ち、回転軸２２２の筐体２０４側の端部に取り付けられた回転板の大径部が、回転軸２２２の回転に応じて当該回転板の下方に設置されたモード切替スイッチを押下することにより、撮像モードから投影モードへの切り替えが行われる。
【００２６】
図８は、この実施の形態に係るカメラ２０２の画像投影時の状態を示す側面図である。図８に示すように、カメラ２０２の筐体２０４の側面２１６に設けられたスタンド２２０を反時計回りに所定の角度だけ回転させることにより、スタンド２２０の底部と筐体２０４の底面の後端縁２０４ｂが共に接するような状態で、カメラ２０２を机等の載置面に載置することができる。このようにしてカメラ２０２を載置すると、スタンド２２０によって、カメラ２０２の筐体２０４を、前面が水平方向より上方を向いた状態、即ち、前面に設けられた投影窓８が水平方向より上方を向いた状態で、安定して支持することができる。従って、筐体２０４に内蔵されている投影ユニット８０から投影窓８を介して筐体２０４の前方へ向かって投影される画像は、水平方向よりも上方へ向かって投影されるため、投影される画像の下方が載置面によって遮られることがなく、投影画像にケラレが発生することが防止される。また、スタンド２２０を筐体を支持する第２の位置まで移動させると自動的に投影モードが設定され、筐体を支持しない第１の位置に復帰させると自動的に投影モードが終了されるため、投影機能付きのカメラの操作性を向上させることができる。
【００２７】
なお、この実施の形態に係るカメラにおいては、スタンド２２０は筐体２０４の一方の側面２１６に設けられているのみであるが、筐体２０４の他方の側面に同様のスタンドを設置して、２つのスタンドによって筐体２０４を支持する構成としてもよい。この場合には、より安定して筐体２０４を固定することができる。なお、スタンドの回転軸に設けられた回転板によって押下されるモード切替スイッチは、一方のスタンドの回転軸に設けてもよいし、双方のスタンドの回転軸に設けてもよい。後者の場合には、双方のスタンドが回転されたときに投影モードが設定される。
【００２８】
なお、この実施の形態に係るスタンドとしては、図９に示すような収納式のスタンド３２０でもよい。金属やプラスチック等からなるスタンド３２０は、略コの字形の形状を有し、画像の投影を行わないときにはカメラ３０２の筐体３０４の両側面及び背面に設けられた収納部３２２に収納されている。スタンド３２０は、筐体３０４の両側面に対して図示しない回転軸を介して取り付けられており、当該回転軸を中心として回転可能に設置されている。なお、スタンド３２０の移動機構は、図４に示す側面カバー２０の移動機構と同様の構成になっている。即ち、スタンド３２０の回転軸の端部に取り付けられた回転板の大径部が、回転軸の回転に応じて当該回転板の下方に設置されたモード切替スイッチを押下することにより、撮像モードから投影モードへの切り替えが行われる。
【００２９】
図９に示すように、カメラ３０２を使用して画像の投影を行う場合には、スタンド３２０を筐体３０４の背面方向に所定の角度だけ回転させて、スタンド３２０の底面の前端縁３２０ａと筐体３０４の底面の後端縁３０４ｂが共に接するような状態で、カメラ３０２を机等の載置面に載置する。このようにしてカメラ３０２を載置すると、前面に設けられた投影窓８が水平方向より上方を向いた状態で筐体３０４を支持することができる。
【００３０】
また、この実施の形態に係るスタンドとしては、図１０に示すような収納式のスタンド４２０，４２２でもよい。スタンド４２０は、上端部近傍において短手方向に挿通された図示しない回転軸によって、カメラ４０２の筐体４０４の背面に設けられた収納部４２４に対して回転可能に取り付けられており、画像の投影を行わないときには収納部４２４収納されている。同様に、スタンド４２２も収納部４２６に対して回転可能に設置されている。なお、スタンド４２０，４２２の移動機構は、図４に示す側面カバー２０の移動機構と同様の構成になっている。
【００３１】
図１０に示すように、カメラ４０２を使用して画像の投影を行う場合には、スタンド４２０，４２２を筐体４０４の背面方向に所定の角度だけ回転させて、スタンド４２０の底面の前端縁４２０ａ、スタンド４２２の底面の前端縁４２２ａ、及び筐体４０４の底面の後端縁４０４ｂが共に接するような状態でカメラ４０２を机等の載置面に載置する。このようにしてカメラ４０２を載置すると、前面に設けられた投影窓８が水平方向より上方を向いた状態で筐体４０４を支持することができる。
【００３２】
次に、本発明の第４の実施の形態に係る電子機器としてのカメラについて説明する。なお、第４の実施の形態に係るカメラは、筐体を支持する支持部材として背面カバーを用いる点で第１の実施の形態に係るカメラとは異なるが、この点以外は、第１の実施の形態に係るカメラと同一の構成を備えている。従って、第４の実施の形態の説明においては、第１の実施の形態に係るカメラと同一の構成については説明を省略する。また、この第４の実施の形態に係るカメラの説明においては、第１の実施の形態に係るカメラと同一の構成には第１の実施の形態で用いた符号と同一の符号を付して説明を行なう。
【００３３】
図１１は、この実施の形態に係るカメラ５０２の背面側の外観を示す斜視図である。カメラ５０２の筐体５０４の背面には、撮像した画像や種々の情報を表示するＬＣＤパネル５２及び種々の設定を行なう際に使用するマルチセレクタ５４が配置された背面カバー５０が設けられている。背面カバー５０は、上端部近傍において長手方向に挿通された図示しない回転軸を中心として回転可能に取り付けられている。なお、背面カバー５０の移動機構は、図３に示す側面カバー２０の移動機構と同様な構成になっており、背面カバー５０の回転軸の回転に応じて筐体５０４内に設けられたモード切替スイッチが押下されることにより、撮像モードから投影モードへの切り替えが行われる。
【００３４】
図１１に示すように、カメラ５０２を使用して画像の投影を行う場合には、背面カバー５０を筐体５０４の背面方向に所定の角度だけ回転させて、背面カバー５０の底面の前端縁５０ａ及び筐体５０４の底面の後端縁５０４ｂが共に接するような状態で、カメラ５０２を机等の載置面に載置する。このようにしてカメラ５０２を載置すると、前面に設けられた投影窓８が水平方向より上方を向いた状態で筐体５０４を支持することができる。
【００３５】
この第４の実施の形態に係るカメラによれば、背面カバーの底面が載置面に接するような状態で机等の載置面に載置することにより、画像の投影方向が水平方向よりも上方を向いた状態で筐体を安定して支持することができる。従って、机等の平坦な面の上に載置した状態で画像の投影を行う場合に、投影画像にケラレが発生することを防止して良好な投影を行うことができる。また、この実施の形態に係るカメラによれば、背面カバーを筐体を支持する第２の位置まで移動させると自動的に投影モードが設定され、筐体を支持しない第１の位置に復帰させると自動的に投影モードが終了されるため、投影機能付きのカメラの操作性を向上させることができる。
【図面の簡単な説明】
【００３６】
【図１】第１の実施の形態に係るカメラの外観を示す斜視図である。
【図２】第１の実施の形態に係るカメラの内部の構成を示す断面図である。
【図３】第１の実施の形態に係るカメラの画像投影時の状態を示す側面図である。
【図４】第１の実施の形態に係るカメラの側面カバーの移動機構の構成を示す側面図である。
【図５】第２の実施の形態に係るカメラの外観を示す斜視図である。
【図６】第２の実施の形態に係るカメラの画像投影時の状態を示す側面図である。
【図７】第３の実施の形態に係るカメラの外観を示す斜視図である。
【図８】第３の実施の形態に係るカメラの画像投影時の状態を示す側面図である。
【図９】第３の実施の形態に係るカメラが備える他のスタンド部材を説明する斜視図である。
【図１０】第３の実施の形態に係るカメラが備える他のスタンド部材を説明する斜視図である。
【図１１】第４の実施の形態に係るカメラの外観を示す斜視図である。
【符号の説明】
【００３７】
２，１０２，３０２，４０２，５０２…カメラ、４，１０４，３０４，４０４，５０４…筐体、６…撮像窓、８…投影窓、２０…側面カバー、２２，２２２…回転軸、２４…回転板、２６，１２６…モード切替スイッチ、５０…背面カバー、６０…撮像ユニット、８０…投影ユニット、１２０…スライドレール、２２０，３２０，４２０，４２２…スタンド
【図１】
2010074328.tif 000003
【図２】
2010074328.tif 000004
【図３】
2010074328.tif 000005
【図４】
2010074328.tif 000006
【図５】
2010074328.tif 000007
【図６】
2010074328.tif 000008
【図７】
2010074328.tif 000009
【図８】
2010074328.tif 000010
【図９】
2010074328.tif 000011
【図１０】
2010074328.tif 000012
【図１１】
2010074328.tif 000013